(57)【要約】      （修正有）【課題】貝類の養殖装置における複数の貝を海中で吊すロープの中央部を、海面上で掛止する水平な保持部材が、貝の重み及び貝に働く水流の力でロープが上下に動いても、保持部材が摩耗で欠損して強度を弱くしてロープと貝を海底に落下させるのを防ぎ、又人がのっても耐えうるような高い強度を有する養殖用保持部材を提供する。【解決手段】海底に立設した門型支柱群の海面上の梁部材に架設されるロープＲの吊上用の水平なＦＲＰ製保持部材であって、３列の高さ４０ｍｍ板厚５ｍｍ縦部材２ａを８０ｍｍピッチに設けた横部材２ｂで連結し、縦部材及び横部材の上面に小突起２ａ１，２ｂ１を設け、これらをＦＲＰで一体成型した。【選択図】図４
0003180426.tif 000002
【実用新案登録請求の範囲】
【請求項１】
ロープ又は紐・ワイヤ等の吊線材に複数の育成するカキ・帆立貝・二枚貝等の貝類を所定間隔離して係止又は係留し、同貝類が海中に浸るように吊線材の中央部を海面上において掛止する貝類の養殖用保持部材であって、
前記保持部材が少なくとも高さ２５ｍｍ以上で板厚４ｍｍ以上の水平に長く延びた縦部材を所定間隔離して少なくとも３列以上配置し、同縦部材間を所定の間隔で配置した横部材で互に連結し、しかも最も左右側となる縦部材の上端に掛止する吊線材の中央部の長手方向の滑りを防ぐ小突起又は小溝を一定ピッチで設け、しかも縦部材・横部材及び小突起又は小溝をＦＲＰでもって一体成型にて一体成型して製作されたことを特徴とする貝類の養殖用保持部材。
【請求項２】
水平部材の横部材及び左右の中間列の縦部材の上端面にも小突起又は小溝を所定ピッチで設けた請求項１記載の貝類の養殖用保持部材。
【請求項３】
水平部材の縦部材・横部材及びそれらに設けられた全ての小突起又は小溝がＦＲＰプラスチックで一体成型された請求項２記載の貝類の養殖用保持部材。
【請求項４】
請求項１〜３何れか記載の貝類の養殖用保持部材を、養殖する海辺近くの海底地盤に立設された骨組構造体の海面上の位置に水平に複数列架設し、同保持部材に海中に垂らされる複数の吊線材の中央部を互に所定間隔離して掛け渡し、各吊線材の海水に浸ることとなる位置に貝類を所定間隔毎に係止させる貝類の養殖装置。
【考案の詳細な説明】
【技術分野】
【０００１】
本考案は、カキ・帆立貝・二枚貝等の貝類をロープ等の吊線材に複数個係止・係留して海中に吊って、養殖するための貝類の養殖装置における吊線材の中央部を海面上で掛止して保持する養殖用保持部材に関する。
【背景技術】
【０００２】
カキ等の貝の養殖装置では、海岸近くの海辺に門型支柱群又は骨組構造体を海底に立設し、海面上に吊線材を吊る保持部材を水平に架設し、同保持部材にロープ（吊線材）の中央部を掛け、ロープの左右の海中に没する位置にカキ等の貝の貝耳位置で貝を係止させて、貝を海中で育成して養殖していた。又は筏に設けた海面上の保持部材に掛止したロープで貝を海中に吊して養殖することもある。
【０００３】
しかしながら、従来の養殖装置・養殖筏の保持部材は、特許文献１で知られているように、３ｍｍ厚み等の丸パイプを使用していた。これでは、海の水流・波浪によって係止した貝に上下・左右前後する力が作用し、そのため吊線材は上下方向に絶えず往復動するように摺動されている。又、吊線材は水平部材の長手方向にも動かされる。
【０００４】
そのため、吊線材は丸パイプの外周を絶えず摺動し続け、しかも保持部材の丸パイプの上周辺は、円弧状となって吊線材は滑り易く、吊線材との摺動によって削られていき、丸パイプの上辺の肉厚は薄くなって、最後は丸パイプの上辺部が図６の（ａ）図の如く切断されて一部欠落する。
【０００５】
このように、保持部材の丸パイプがその上周辺が欠落すると、吊線材と丸パイプとの接触面積が小さくなって、更にその欠落の進行が速くなる。このように、丸パイプの周辺が欠落していき、パイプ長手方向に連結部がなく中空の丸パイプの強度は著しく低下し、吊線材に係止された貝の重さ２５ｋｇ程とその動揺力に耐えられず、保持部材の丸パイプが破損して、貝を吊った吊線材は水平部材の丸パイプから外れて海底へ落下するようになる。
又は、養殖の管理のために人が丸パイプの上に足をのせたり体重をかけると、丸パイプが折断して危険となることがあった。
【０００６】
保持部材が角パイプの場合も丸パイプと略同様である。これを解消すべく、保持部材を中実の棒材にすると、コストが嵩むとともに重くなって取り扱いにくくなるという欠点があった。
【０００７】
更に、貝を収穫の為又は育成状態の観察の為に、海面上に吊線材を上方に持ち上げる場合、使い始めの初期においては吊線材は水平部材の丸パイプの上周面に密着しているため、手又は船上クレーンのフックでロープ・貝の持ち上げ作業において、そのロープを丸パイプから離して手に握ること又はクレーンのフックにロープを掛けるロープ掛け作業に、手間労力がかかっていた。
【先行技術文献】
【特許文献】
【０００８】
【特許文献１】特開平１１−３２６１８号公報
【考案の概要】
【考案が解決しようとする課題】
【０００９】
本考案が解決しようとする課題は、従来のこれらの問題点・欠点を解消し、ロープ等の吊線材によって削られても強度低下が少なく、長期間の使用に耐え、又長尺方向への移動も制止でき、更に吊線材の手掛け又はクレーンのフック掛けが容易にできる貝類の養殖用保持部材を提供することにある。
【課題を解決するための手段】
【００１０】
かかる課題を解決した本考案の構成は、
１）  ロープ又は紐・ワイヤ等の吊線材に複数の育成するカキ・帆立貝・二枚貝等の貝類を所定間隔離して係止又は係留し、同貝類が海中に浸るように吊線材の中央部を海面上において掛止する貝類の養殖用保持部材であって、
前記保持部材が少なくとも高さ２５ｍｍ以上で板厚４ｍｍ以上の水平に長く延びた縦部材を所定間隔離して少なくとも３列以上配置し、同縦部材間を所定の間隔で配置した横部材で互に連結し、しかも最も左右側となる縦部材の上端に掛止する吊線材の中央部の長手方向の滑りを防ぐ小突起又は小溝を一定ピッチで設け、しかも縦部材・横部材及び小突起又は小溝をＦＲＰでもって一体成型にて一体成型して製作されたことを特徴とする貝類の養殖用保持部材
２）  水平部材の横部材及び左右の中間列の縦部材の上端面にも小突起又は小溝を所定ピッチで設けた前記１）記載の貝類の養殖用保持部材
３）  水平部材の縦部材・横部材及びそれらに設けられた全ての小突起又は小溝がＦＲＰプラスチックで一体成型された前記２）記載の貝類の養殖用保持部材
４）  前記１）〜３）何れか記載の貝類の養殖用保持部材を、養殖する海辺近くの海底地盤に立設された骨組構造体の海面上の位置に水平に複数列架設し、同保持部材に海中に垂らされる複数の吊線材の中央部を互に所定間隔離して掛け渡し、各吊線材の海水に浸ることとなる位置に貝類を所定間隔毎に係止させる貝類の養殖装置
にある。
【考案の効果】
【００１１】
本考案によれば、保持部材を３列以上の所定間隔を有する縦部材と、これらを連結する横部材と、縦部材の上端面に設けた小突起とによって、ロープ等の吊線材によって、損耗して強度が弱くなることがなく、長期間の使用に耐える高い強度を有し、しかも吊線材の長手方向への移動もない。更に、保持部材に足をのせても耐える強度を持ち、且つ滑りにくくして作業性をよくした。加えて、ロープ・貝類を引き上げるのも縦部材間の間隔を使って、指・フックを簡単に掛止できて容易にできるものとした。
【図面の簡単な説明】
【００１２】
【図１】図１は実施例の保持部材の平面図である。
【図２】図２は実施例の保持部材の正面図である。
【図３】図３は図２のＡ−Ａ拡大断面図である。
【図４】図４は実施例の貝養殖状態を示す説明図である。
【図５】図５は実施例の貝養殖装置の斜視図である。
【図６】図６（ａ）は従来の丸パイプの保持部材を、図６（ｂ）は実施例の保持部材とのロープによる損耗の状態を示す説明図である。
【考案を実施するための形態】
【００１３】
本考案の保持部材の上端面の小突起は、縦部材の上端面で２０ｍｍピッチ程の間隔で設けられていて、２ｍｍ程の高さの３ｍｍ直径のものでよく、それに代わる小溝は８〜１５ｍｍ巾で深さが３ｍｍ程のものが使用できる。
【００１４】
本考案の水平部材は、強度があって、耐光性で太陽光で劣化しにくく、耐海水性、摩耗しにくいプラスチック素材のＦＲＰが使用される。ＦＲＰが最適で一体成型で製造される。水平部材一本の長さは１ｍ〜数ｍ程であり、水平部材の左右の巾は８５ｍｍ程、横部材の長手方向の配置間隔のピッチは８０ｍｍ程である。
【００１５】
本考案の縦部材は、ＦＲＰを使用するときは高さ２５ｍｍ以上で板厚４ｍｍ以上のものが損耗しても、耐海水性・耐光性・耐摩耗性があって長期間使用できるので好ましい。
【実施例】
【００１６】
本考案の実施例を図１〜図５の図面に基づいて説明する。
【００１７】
本実施例は、保持部材２をＦＲＰによる一体成型で製造し、縦部材２ａは３列でその間の左右間隔は４０ｍｍである。各縦部材の高さは４０ｍｍで厚み５ｍｍである。又、横部材２ｂは８０ｍｍピッチに縦部材２ａ間の連結材として設けられていて、左右中間の３列の縦部材２ａの上端には２０ｍｍピッチで高さ２ｍｍで直径の３ｍｍの小突起２ａ１を設けている。
【００１８】
図中、Ｇは実施例の貝養殖装置であり、１は海底上に立設された骨組構造体、１ａは海底の地盤層まで打ち込まれた海の沖に向って１ｍ間隔に設けたＦＲＰ製の門型支柱、１ａ１はその主柱、１ａ２は主柱１ａ１の頂部間に架設した梁部材、２は同梁部材間に架設した本実施例の養殖用保持部材、２ａは高さ４０ｍｍで厚み５ｍｍの左・中間・右に４０ｍｍ間隔で３列設けた保持部材２の縦部材、２ａ１は同縦部材の上端面に設けた高さ２ｍｍで直径３ｍｍの小突起であり、同小突起の間隔は２０ｍｍであり、小突起は左右方向に一直線上に配置されている。２ｂは３列の梁部材２ａを互に連結する板厚５ｍｍで高さ４０ｍｍの横部材で、各縦部材２ａの間の中間に高さ２ｍｍで直径３ｍｍの小突起２ｂ１を設けている。
【００１９】
尚、保持部材２間の前後方向の接続は、互にその縦部材２ａの前後端同士を連結ピン等の連結金具（図示せず）で連結して長尺にしている。
【００２０】
この実施例は、貝を養殖する海辺近くの数ｍ深さの海中に門型支柱１ａを海の沖に向って１ｍ程の間隔で海底地盤まで打ち込む。門型支柱１ａの梁部材１ａ２は通常海面上になる位置にある。この門型支柱１ａは必要に応じて前後方向に他の部材で連結してもよい。この門型支柱１ａで連結してもよい。この門型支柱１ａの梁部材１ａ２の上に、本考案の保持部材２を複数列配置する。同保持部材２と梁部材１ａ２とはワイヤ・紐・金具等（図示せず）を用いて連結する。
【００２１】
次に、このように海面上に設けた保持部材２にカキＫの貝耳を所定間隔をもって係止した貝吊りのロープＲを用いた吊線材の中央部がのるように掛止する。同ロープは３列の縦部材２ａの上端面と当接する。そして、ロープＲに係止したカキＫの重さで左右それぞれから下方向に押し下げる力でロープＲは保持部材２の縦部材２ａの上端面に密着するように当接する。そして、ロープＲはその上端面の小突起２ａ１に拘束され、保持部材２の長手方向への滑りは防止される。
【００２２】
小突起２ａ１の高さは２ｍｍ程で小さいが、前記押し下げ力が働くので押し下げ力による摩擦が大きくなって、ロープＲの横滑り（長手方向・前後方の移動）を充分に防ぐ。しかも、小突起２ａ１は縦部材２ａの上端面に左右一直線状に配置されているので、３個の小突起２ａ１で滑りは止められる。
【００２３】
このロープＲが係止したカキＫの貝殻が受ける水流による上下動及び左右動の力によって、ロープＲが上下往復動のスライド運動しても保持部材２の３つの縦部材２ａの上端面と当接することで、摩耗による損耗量が３個所に分散することで損耗速度が小さくなる。
【００２４】
しかも、ロープＲは左右側（外側）の垂直な縦部材２ａの上端によって、直角に近い鋭角の角度で折曲されてその左右で垂れることとなるので、ロープＲは左右側の縦部材２ａの上端のエッジによって、ロープＲと縦部材２ａとの摩擦力はかなり大きくなり、ロープＲの上下移動（スライド運動）は大きく抑えられる。及び縦部材２ａが対摩耗性のＦＲＰで製作されていることによっても、保持部材２のロープＲによる損耗を少なくできる（図６（ｂ）参照）。滑りの点では、本実施例の保持部材２の方が断面長方形状の３列の縦部材２ａからなるので抵抗が大きく従来の丸パイプ、角パイプより大巾にスライドさせにくくなっている。
【００２５】
更に、ロープＲ・カキＫを引き上げる場合は、縦部材２ａの間の間隔４０ｍｍの間の空間から指を入れて、又はクレーンの吊フックを入れて、縦部材２ａに左右に張られたロープＲを掛止すれば、容易にロープＲを上方に引き上げて海中のカキＫを海面上に上げて観察又は収穫できるものとした。
【００２６】
更に、海面上にある保持部材２の上に足を載せて人が移動すること、又カキＫの引き上げ作業しても、三列の縦部材２ａは８０ｍｍピッチの横部材２ｂで格子状に連結されていて、高さはいずれも４０ｍｍもあり、しかもこれらはＦＲＰの一体成型で製造されるので、人の体重、カキの重量が荷重されても、充分に耐える高い強度を有している。
又、保持部材２は海に対する耐水性・耐光性も充分にある。
【００２７】
更に、作業者が保持部材２上に足をかけても、小突起２ａ１，２ｂ１が靴の滑り止めとなって、この保持部材２にのっての作業が滑らずに安定的に行える。
【００２８】
又、本実施例の貝養殖装置Ｇは、養殖する海辺の海中にＦＲＰ製門型支柱１ａを多数海の沖の方向に１ｍ間隔程で立設して、骨組構造体１を構築し、前後の門型支柱１ａの頂部の梁部材１ａ２の上に実施例の保持部材２を前後方向に（海の沖方向に）長く架設している。前後の保持部材２は縦部材２ａ終端・始端部を互にピン等金具（図示せず）で連結して長尺にしている。又、保持部材２と梁部材１ａ２とは金具又はロープ（図示せず）で止着している。
【００２９】
この実施例の貝養殖装置Ｇは、海辺浜から門型支柱１ａ上の海面上の保持部材２にのり移って、沖のカキＫの養殖装置まで移動して作業ができるようにしている。
【産業上の利用可能性】
【００３０】
本考案の保持部材は、貝類の養殖の他に生簀の強度ある水平部材として、海、川に浮かべる浮体の強度ある水平部材としても利用できる。
【符号の説明】
【００３１】
Ｇ    実施例の貝養殖装置
Ｒ    ロープ（吊線材）
Ｋ    カキ
１    骨組構造体
１ａ    門型支柱
１ａ１    主柱
１ａ２    梁部材
２    実施例の保持部材
２ａ    縦部材
２ａ１    小突起
２ｂ    横部材
２ｂ１    小突起
【図１】
0003180426.tif 000003
【図２】
0003180426.tif 000004
【図３】
0003180426.tif 000005
【図４】
0003180426.tif 000006
【図５】
0003180426.tif 000007
【図６】
0003180426.tif 000008